(57)【要約】【課題】複数の赤外線信号が輻輳することによって生ずるリモコン操作の誤動作を防止したリモコン信号変換機を提供する。【解決手段】リモコン信号変換機５０Ａは、粘着体５４によって、発光素子２３が制御対象機器であるテレビ１０の受光素子１１に向かい合う位置に取り付けられる。発光素子２３を囲むように配置された赤外線非透過体５３によって、リモコン４０からの赤外線信号Ｓｉｉや、室内にあるリモコンやパソコン等からの赤外線信号Ｓｉｎが、テレビ１０の受光素子１１に入射するのが遮られる。その結果、テレビ１０の受光素子１１には、発光素子２３からの赤外線信号Ｓｉｏだけが入射することになり、受光素子１１における赤外線信号の輻輳を解消できる。【選択図】図１
2008148081.tif 000002
【特許請求の範囲】
【請求項１】
リモートコントローラから送信された第１の赤外線信号を第２の赤外線信号に変換した後、この第２の赤外線信号を赤外線送信部から制御対象機器に向けて発信するリモコン信号変換機であって、
前記制御対象機器の赤外線受信部に前記赤外線送信部から発信された赤外線信号だけを入射させる遮光部材を備えたことを特徴とするリモコン信号変換機。
【請求項２】
前記遮光部材は赤外線を透過しない材料で作成されていることを特徴とする請求項１に記載のリモコン信号変換機。
【請求項３】
前記制御対象機器に対し、前記遮光部材が粘着体を用いて取り付けられていることを特徴とする請求項１または２に記載のリモコン信号変換機。
【請求項４】
少なくとも前記赤外線送信部を内蔵する筐体を備え、前記遮光部材は、前記筐体を構成する複数の面のうち前記制御対象機器と対向する面に配置されていることを特徴とする請求項１〜３のいずれかに記載のリモコン信号変換機。
【請求項５】
前記筐体は前記第１の赤外線信号を受信する赤外線受信部を更に内蔵し、前記赤外線受信部および前記赤外線送信部は、前記筐体の相対する一対の面に配置されていることを特徴とする請求項４に記載のリモコン信号変換機。
【請求項６】
前記赤外線受信部で生成された第１のリモコン信号を第２のリモコン信号に変換して前記赤外線送信部に出力するコンバータが、前記筐体に内蔵されていることを特徴とする請求項４または５に記載のリモコン信号変換機。
【請求項７】
前記赤外線受信部で生成された第１のリモコン信号を第２のリモコン信号に変換して前記赤外線送信部に出力するコンバータは、前記制御対象機器とは異なる第２の制御対象機器と接続され、かつ前記コンバータは、前記第２の制御対象機器で解読可能な第３のリモコン信号を生成することを特徴とする請求項１に記載のリモコン信号変換機。
【請求項８】
赤外線信号を送信する赤外線送信部と、赤外線を透過しない赤外線非透過体を具備することを特徴とするリモコン信号送信機。
【請求項９】
赤外線送信部と同一面に、粘着性のある物質が塗布されていることを特徴とする請求項８に記載のリモコン信号送信機。
【発明の詳細な説明】
【技術分野】
【０００１】
本発明は、リモートコントローラから送信された赤外線信号を受信し、信号の内容を変換した後、制御対象機器に向けて再度赤外線信号を発信するリモコン信号変換機に関するものである。
【背景技術】
【０００２】
一般家庭で使用されるテレビジョン受像機（以下、テレビと略す）やＤＶＤレコーダ、オーディオ機器などの家電製品は、赤外線を利用したリモートコントローラ（以下、リモコンと略す）を用いて、ユーザが離れた場所から操作を行うことが可能である。リモコンを用いることにより、電源のオン／オフや音量の調整、チャンネルのアップダウン、再生／停止などの操作を行うことができる。
【０００３】
これらのリモコンでは、制御対象となる機器間での赤外線信号の干渉を防ぐため、機器毎に固有のコマンドを用いたり、機器によって異なった赤外線信号を使用するのが一般的である。この場合、専用のリモコンを用いてそれぞれの機器を操作する必要があるため操作が煩雑となり、また使用するリモコンの数も多くなる。
【０００４】
これに対し、新たな機器を購入した場合に、その機器専用のリモコンではなく、使い慣れた従来のリモコンを引き続いて使いたいという要望がある。この要望に対応するため、リモコンから出力された赤外線信号の内容を、他の機器で解釈可能な赤外線信号の内容に変換して出力するリモコン信号変換機が考案されている（特許文献１参照）。
【０００５】
以下、特許文献１に記載された従来のリモコン信号変換機について、図３を参照して説明する。
【０００６】
図３に、外部装置３０が外付けされたリモコン信号変換機２０の構成、および制御対象機器であるテレビ１０の構成を示す。リモコン信号変換機２０には、受光素子２１と受信変換部２２、発光素子２３と送信変換部２４、および外部装置３０とのインターフェイス２５、２６が内蔵されている。
【０００７】
リモコン４０を用いてテレビ１０を操作する場合、リモコン４０は、テレビ１０の各操作に対応したコードを含むリモコン信号を生成する。しかし図３の例では、リモコン４０で生成されるリモコン信号はテレビ１０に対応していない。このため、リモコン４０で生成されたリモコン信号は、リモコン信号変換機２０でテレビ１０に対応したリモコン信号に変換された後、テレビ１０に向けて送信される。
【０００８】
以下、図３を参照してリモコン信号の変換動作について簡単に説明する。ユーザがリモコン４０のボタンを押下することにより所定の操作を指示した場合、リモコン４０は、前記操作に対応したコードを含むリモコン信号を生成する。リモコン４０は、生成したリモコン信号を発光素子４１で赤外線信号Ｓｉｉに変換する。赤外線信号Ｓｉｉは、その後リモコン信号変換機２０に向けて送信される。
【０００９】
赤外線信号Ｓｉｉは受光素子２１で電気信号に変換される。受信変換部２２は、受光素子２１から出力された電気信号からリモコン信号を再生する。受信変換部２２で再生されたリモコン信号は、インタ−フェイス２５を介して外部装置３０に転送される。
【００１０】
外部装置３０には、リモコン４０で生成されるリモコン信号のコードと、テレビ１０で解読可能なリモコン信号のコードとの対照テーブルが、あらかじめ格納されている。外部機器３０は、受信変換部２２で再生されたリモコン信号のコードを、テレビ１０で解読可能なリモコン信号のコードに変換する。変換されたリモコン信号は、インターフェイス２６を介して送信変換部２４に転送される。送信変換部２４は、リモコン信号を発光素子２３で赤外線信号Ｓｉｏに変換する。赤外線信号Ｓｉｏは、その後テレビ１０の受光素子１１に向けて送信される。
【００１１】
赤外線信号Ｓｉｏは受光素子１１で電気信号に変換される。受信変換部１２は、受光素子１１から出力された赤外線信号Ｓｉｏからリモコン信号を再生する。制御部１３はリモコン信号を解読し、ユーザがリモコン４０で指示した動作を実現する。
【００１２】
リモコン信号変換機２０を用いることにより、リモコン４０で生成されたリモコン信号を、テレビ１０で解読可能なリモコン信号に変換できる。従って、新しいテレビに買い換える際にも、新旧のテレビに対応したリモコン信号のコードが外部装置３０に格納されていれば、ユーザは、使い慣れた従来のリモコン４０を用いてテレビ１０の操作を行うことができる。
【特許文献１】特開２００４−２６６４９８号公報
【発明の開示】
【発明が解決しようとする課題】
【００１３】
リモコン信号変換機２０において、リモコン信号変換機２０からの赤外線信号Ｓｉｏと不要な赤外線信号がテレビ１０の受光素子１１に同時に入射して、信号の輻輳が生ずる場合がある。ここで不要な赤外線信号とは、リモコン４０からの赤外線信号Ｓｉｉや室内にある他のリモコンやパソコン等から発信された赤外線信号Ｓｉｎをいう。
【００１４】
この場合、受信変換部１２において、それぞれの赤外線信号Ｓｉｏ、Ｓｉｉ、Ｓｉｎから電気信号Ｓｃｏ、Ｓｃｉ、Ｓｃｎが再生される。その結果、制御部１３には、これらの信号が混在した信号Ｓｃｏ+Ｓｃｉ+Ｓｃｎが入力される。
【００１５】
信号ＳｃｉおよびＳｃｎはリモコン信号Ｓｃｏに対してノイズ成分となる。信号Ｓｃｏの値に比べて信号ＳｃｉおよびＳｃｎの値が十分小さければ、制御部１３におけるリモコン信号の解読が正常に行われるため問題はない。しかし、信号Ｓｃｏの値に比べて信号ＳｃｉやＳｃｎの値が所定値以上になった場合、制御部１３におけるリモコン信号の解読が正常に行われず、テレビ１０がリモコン４０の操作通りに動作しない等の不都合が生じる。
【００１６】
従って本発明は、赤外線信号の輻輳によるリモコン操作の誤動作を解消できるリモコン信号変換機を提供することを目的とする。
【課題を解決するための手段】
【００１７】
上記の目的を達成するために、本発明のリモコン信号変換機は、
リモートコントローラから送信された第1の赤外線信号を第２の赤外線信号に変換した後、この第２の赤外線信号を赤外線送信部から制御対象機器に向けて発信するリモコン信号変換機であって、
前記制御対象機器の赤外線受信部に前記赤外線送信部から発信された赤外線信号だけを入射させる遮光部材を備えたことを特徴とする。
【００１８】
本発明のリモコン信号変換機において、前記遮光部材は赤外線を透過しない材料で作成されていることが好ましい。また前記制御対象機器に対し、前記遮光部材が粘着体を用いて取り付けられていることが好ましい。
【００１９】
また本発明のリモコン信号変換機において、少なくとも前記赤外線送信部を内蔵する筐体を備え、前記遮光部材は、前記筐体を構成する複数の面のうち前記制御対象機器と対向する面に配置されていることが好ましい。また前記筐体は前記第１の赤外線信号を受信する赤外線受信部を更に内蔵し、前記赤外線受信部および前記赤外線送信部は、前記筐体の相対する一対の面に配置されていることが好ましい。
【００２０】
なお本発明のリモコン信号変換機において、前記赤外線受信部で生成された第１のリモコン信号を第２のリモコン信号に変換して前記赤外線送信部に出力するコンバータが、前記筐体に内蔵されていてもよい。
【００２１】
さらに、前記コンバータは、前記制御対象機器とは異なる第２の制御対象機器と接続され、かつ前記コンバータは、前記第２の制御対象機器で解読可能な第３のリモコン信号を生成するものであってもよい。
【発明の効果】
【００２２】
本発明によれば、リモコン信号変換機から送信される赤外線信号だけが制御対象機器の赤外線受信部に入射するため、赤外線信号の輻輳によるリモコン操作の誤動作を確実に防止できる。
【発明を実施するための最良の形態】
【００２３】
（実施の形態１）
図１に、リモコン信号変換機５０Ａが制御対象機器であるテレビ１０に取り付けられた状態における本発明の実施の形態１の構成を示す。なお、図中、従来技術を示す図３の構成と同一機能を有する部分には同一符号を付している。
【００２４】
本実施の形態のリモコン信号変換機５０Ａは、赤外線受信部を構成する受光素子２１と受信変換部２２、赤外線送信部を構成する発光素子２３と送信変換部２４、およびコンバータ５１を含む。これらの各部材はリモコン信号変換機５０Ａの筐体５２に内蔵されている。更に受光素子２１と発光素子２３は、筐体５２を構成する複数の面のうちの相対する一対の面に配置されている。なおコンバータ５１は筐体５２に内蔵されているため、図３に示すような外部装置を接続する必要はない。
【００２５】
以下、まずリモコン信号変換機５０Ａを構成する各部の機能について説明する。受光素子２１は、リモコン４０から送信された赤外線信号Ｓｉｉを電気信号に変換する。受信変換部２２は、変換された電気信号からリモコン信号を再生する。コンバータ５１には、リモコン４０で生成されるリモコン信号のコードとテレビ１０で解読可能なリモコン信号のコードとの対照テーブル、およびコード変換の処理手順に関するデータが格納されている。コンバータ５１は、上記対照テーブルを参照し、あらかじめ定められた処理手順に従い、受信変換部２２で再生されたリモコン信号のコードをテレビ１０で解読可能なリモコン信号のコードに変換する。送信変換部２４は、コンバータ５１から出力されたリモコン信号を発光素子２３で赤外線信号Ｓｉｏ（図示せず）に変換する。その後、赤外線信号Ｓｉｏはテレビ１０の受光素子１１に向けて送信される。
【００２６】
なお、リモコン信号変換機５０Ａの動作は、基本的に図３で説明した従来のリモコン信号変換機２０と同様であるため、ここでは説明を省略する。
【００２７】
次に、リモコン信号変換機５０Ａの構造について説明する。筐体５２を構成する複数の面のうち少なくともテレビ１０と対向する面には、発光素子２３を囲むように遮光部材である赤外線非透過体５３が設置されている。また赤外線非透過体５３の外面には粘着性のある粘着体５４が塗布されている。リモコン信号変換機５０Ａは、テレビ１０に粘着体５４を押し付けることにより、発光素子２３が受光素子１１に向かい合う状態で取り付けられる。
【００２８】
図１に示すように、リモコン４０から発信された赤外線信号Ｓｉｉや室内にある他のリモコンやパソコン等から発信された赤外線信号Ｓｉｎは、赤外線非透過体５３によって、受光素子１１に入射するのが遮られる。
【００２９】
なお、粘着体５４は、赤外線信号Ｓｉｏの通過を妨げないように赤外線を透過する材料で作成されている。従って、赤外線信号ＳｉｉおよびＳｉｎのうちの一部が粘着体５４を通過して受光素子１１に到達する可能性がある。しかし、粘着体５４の赤外線透過率や厚みを調整することにより、赤外線信号ＳｉｉおよびＳｉｎが受光素子１１に到達するのを最小限に留め、実質的に赤外線信号Ｓｉｏだけが受光素子１１に入射するのと同様の状態を実現できる。
【００３０】
この結果、受信変換部１２で再生される信号には、赤外線信号Ｓｉｏから変換されたリモコン信号Ｓｃｏだけが含まれる。このため、制御部１３においてリモコン信号Ｓｃｏが誤って解読される恐れはない。
【００３１】
上述したように、粘着体５４は、赤外線信号Ｓｉｏの通過を妨げないように赤外線を透過する材料で作成することが好ましいが、赤外線を透過しないか透過率が低い材料を用いることも可能である。ただしこの場合には、少なくとも発光素子２３と受光素子１１の間に開口を設けて、赤外線信号Ｓｉｏの通過を確保する必要がある。
【００３２】
なお、図３に示した従来のリモコン信号変換機２０では、設置やテレビへの取り付けに関して特に配慮されていなかったため、リモコン信号変換機２０をテレビ１０に取り付けることが容易ではなかった。これに対し、本実施の形態では、赤外線非透過体５３に塗布された粘着体５４をテレビ１０に押し付けることにより、リモコン信号変換機５０Ａをテレビ１０に簡単に取り付けることができる。
【００３３】
以上説明したように、本実施の形態によれば、テレビ１０を買い換えた際にも、使い慣れた従来のリモコン４０を引き続き使用することができる。また受光素子２１と発光素子２３は、筐体５２の相対する一対の面に配置されており、筐体５２は、粘着体５４によって受光素子１１を隠すような状態でテレビ１０に貼りつけられている。したがって、ユーザはリモコン信号変換機５０Ａの存在を意識することなく、リモコン４０をテレビ１０に向け、従来と同様の方法で操作すればよい。
【００３４】
なお、本実施の形態において、粘着体５４を用いてリモコン信号変換機５０Ａをテレビ１０に取り付けたが、必ずしもリモコン信号変換機５０Ａをテレビ１０に取り付ける必要はない。リモコン信号変換機５０Ａを図示しない支持台に固定し、赤外線非透過体５３をテレビ１０に接した状態で保持する等の方法を採用してもよい。ただし、この場合は、外部から振動が加わったときに赤外線非透過体５３とテレビ１０の間に隙間ができ、この隙間から不要な赤外線信号が入る可能性がある。従って、リモコン信号変換機や支持台の設計に際しては、不要な赤外線信号の浸入を最小限に留め、実質的に赤外線信号Ｓｉｏだけが受光素子１１に入射する状態を実現するための工夫が必要である。例えば、赤外線非透過体５３を一定の力でテレビ１０に付勢する手段を設ける等である。
【００３５】
（実施の形態２）
図２に、リモコン信号変換機が制御対象機器であるデジタルチューナに内蔵された本発明の実施の形態２の構成を示す。
【００３６】
デジタル家電の普及に伴い、複数の機器間で機能を連携できるテレビやＤＶＤレコーダなどが発売されている。このような機器では、機能連携を実現する手段として、ＬＡＮやＩＥＥＥ１３９４、ＨＤＭＩなどの規格に準拠したインターフェイスが使用されている。従って、これらの規格に対応していない機器では機能連携を実現することができない。本実施の形態では、リモコン信号変換機のコンバータを、変換機が内蔵された第２の制御対象機器と接続することにより、これらの規格に非対応の機器において、機能連携を実現している。
【００３７】
本実施の形態では、リモコン信号変換機５０Ｂによって制御を行う第１の制御対象機器として、実施の形態１と同じくテレビ１０を用いている。一方、リモコン信号変換機５０Ｂを内蔵した第２の制御対象機器としてデジタルチューナ６０を用いている。ただし、デジタルチューナ６０は、テレビ１０と異なり、インターフェイス５５を介してリモコン信号変換機５０Ｂのコンバータ５１と接続されている。
【００３８】
なお、図中、既述の構成と同一機能を有する部分には同一符号を付している。また図示しないが、実施の形態１と同様に、リモコン４０を用いてテレビ１０とデジタルチューナ６０の操作を行っている。
【００３９】
デジタルチューナ６０は、リモコン信号変換機５０Ｂの他に、システムＬＳＩ６１、ＲＯＭ６２、ＲＡＭ６３およびチューナ６４を備えている。システムＬＳＩ６１はＣＰＵやＡＶデコーダとして機能する。ＲＯＭ６２には、システムＬＳＩ６１での処理に用いられるプログラムが格納されている。またＲＡＭ６３は演算の際にデータを一時的に保存するために用いられる。
【００４０】
端子６５に入力されたテレビ信号の処理について簡単に説明する。チューナ６４は、端子６５に入力されたテレビ信号のうちユーザが選択したチャンネルのテレビ信号を復号する。システムＬＳＩ６１は復号されたテレビ信号をデコードして映像音声信号を再生する。再生された映像音声信号は、出力端子６６から外部に出力される。出力端子６６は、矢印で示すようにテレビ１０の入力端子１４に接続されている。テレビ１０は、リモコン４０の指示に基づき、内蔵チューナからの映像音声信号、および入力端子１４に入力されたデジタルチューナ６０からの映像音声信号のいずれかを切り換えて出力する。
【００４１】
リモコン信号変換機５０Ｂの構成について簡単に説明する。受信変換部２２および送信変換部２４は基板５６上に搭載されている。受信変換部２２および送信変換部２４とコンバータ５１は、基板５６上の配線ではなく、コードなどを用いて接続されている。また、実施の形態１と同様、粘着体５４によって、リモコン信号変換機５０Ｂの発光素子２３とテレビ１０の受光素子１１が向かい合うように設置されている。なお、図２ではデジタルチューナ６０とテレビ１０が接した状態で配置されているが、発光素子２３と受光素子１１が向かい合うように設置されていれば、その他の部分については必ずしも接している必要はない。
【００４２】
次に、リモコン信号変換機５０Ｂおよびデジタルチューナ６０の動作を説明する。最初にテレビ１０とデジタルチューナ６０の電源をオンにする際の動作について説明する。
【００４３】
本実施の形態では、リモコン４０（図示せず）として、テレビ１０用のリモコンを用いている。ユーザがリモコン４０に設けられた“電源オン”ボタンを押した場合、リモコン４０は“電源オン”のコードを含むリモコン信号を生成し、リモコン信号変換機５０Ｂに向けて赤外線信号を発信する。受信変換部２２は、受光素子２１で受信した赤外線信号からリモコン信号を再生する。
【００４４】
コンバータ５１には、リモコン４０で生成されるリモコン信号のコードと、制御対象機器であるデジタルチューナ６０およびテレビ１０のそれぞれで解読可能なリモコン信号のコードとの対照テーブルならびに、コードの処理手順に関するデータが記憶されている。
【００４５】
コンバータ５１は、まず、これらのテーブルおよびデータに従い、受信変換部２２で再生されたリモコン信号のコードを、デジタルチューナ６０で解読可能なリモコン信号のコードに変換する。コンバータ５１で変換された“電源オン”のリモコン信号は、インターフェイス５５を介してシステムＬＳＩ６１に転送される。
【００４６】
システムＬＳＩ６１は、転送されたリモコン信号のコードを解読して“電源オン”の指令を出力し、チューナ６４やＡＶデコーダを駆動するための電源（図示せず）をオンにする。
【００４７】
一方で、コンバータ５１は、受信変換部２２で再生された“電源オン”のリモコン信号と同一のリモコン信号を生成する。本実施の形態では、リモコン４０としてテレビ１０用のリモコンを用いているため、コンバータ５１でこのような処理を行う必要がある。送信変換部２４は、コンバータ５１から出力されたリモコン信号を発光素子２３で赤外線信号Ｓｉｏ（図示せず）に変換する。その後、赤外線信号Ｓｉｏはテレビ１０の受光素子１１に向けて送信される。
【００４８】
受信変換部１２は、受光素子１１で受信した赤外線信号Ｓｉｏからリモコン信号Ｓｃｏを再生する。制御部１３は、受信変換部１２から出力されたリモコン信号Ｓｃｏを解読し、テレビ１０の電源をオンにする。
【００４９】
以上説明したように、リモコン４０に設けられた“電源オン”ボタンを押すだけで、テレビ１０およびデジタルチューナ６０の両方の電源をオンにする操作が可能となる。
【００５０】
次に、チャンネル選局を行う際の動作について説明する。例えば、ユーザが、リモコン４０に設けられたチャンネル１の選局ボタンを押した場合、リモコン４０（図示せず）は“チャンネル１選局”のリモコン信号を生成し、リモコン信号変換機５０Ｂに向けて赤外線信号を発信する。
【００５１】
受信変換部２２は、受光素子２１で受信した赤外線信号からリモコン信号を再生する。コンバータ５１は、“電源オン”の処理と同様、あらかじめ定められた処理手順に従い、受信変換部２２から出力されたリモコン信号のコードを、デジタルチューナ６０が解読可能なリモコン信号のコードに変換する。
【００５２】
コンバータ５１から出力されたリモコン信号は、インターフェイス５５を介してシステムＬＳＩ６１に転送される。システムＬＳＩ６１は、転送されたリモコン信号のコードを解読し、チューナ６４に対してチャンネル１の選局指令を出力する。チューナ６４は選択指令に従い、チャンネル１を選局する。
【００５３】
一方で、コンバータ５１は、リモコン４０の“チャンネル１選局”のリモコン信号を、このリモコン信号に対応したテレビ１０の“入力切り換え”のリモコン信号に変換する。送信変換部２４は、コンバータ５１から出力されたリモコン信号を発光素子２３で赤外線信号Ｓｉｏ（図示せず）に変換する。その後、赤外線信号Ｓｉｏはテレビ１０に向けて送信される。
【００５４】
テレビ１０の受信変換部１２は、受光素子１１で受信した赤外線信号Ｓｉｏからリモコン信号Ｓｃｏを再生する。制御部１３は、受信変換部１２から出力されたリモコン信号Ｓｃｏを解読し、テレビ１０の入力を内蔵チューナの出力から端子１４に接続されたデジタルチューナ６０の出力に切り換える。
【００５５】
以上説明したように、ユーザがリモコン４０に設けられたチャンネル１の選局ボタンを押下するのみで、テレビ１０の入力がデジタルチューナ６０の出力に切り替わる動作と、デジタルチューナ６０においてチャンネル１が選局される動作とを連携させることが可能となる。
【００５６】
この際、赤外線非透過体５３によって、リモコン４０からの赤外線信号Ｓｉｉが受光素子１１に入射するのが遮られる。従って、リモコン４０から発信されたチャンネル１を選択するリモコン信号により、誤ってテレビ１０のチャンネル１が選択される事態を防止できる。
【００５７】
デジタルチューナとテレビを接続して使用する場合、従来は、デジタルチューナとテレビの電源を別々に入れたり、テレビの入力を切り換えたりする等の煩雑な操作が必要であった。本実施の形態によれば、デジタルチューナがあたかもテレビに内蔵されているように取り扱うことができ、その操作も現在使用しているテレビのリモコンのみで可能になる。
【産業上の利用可能性】
【００５８】
本発明にかかるリモコン信号変換機は、リモコンを用いて機器の操作を行う際の信頼性を向上させるため、リモコンを用いて操作を行う多くの機器に利用できるものである。
【図面の簡単な説明】
【００５９】
【図１】リモコン信号変換機がテレビに取り付けられた状態を示す本発明の実施の形態１の構成図
【図２】リモコン信号変換機がデジタルチューナに内蔵された本発明の実施の形態２の構成図
【図３】従来のリモコン信号変換機の構成図
【符号の説明】
【００６０】
１０  テレビ
１１、２１  受光素子
１４  入力端子
２２  受信変換部
２３、４１  発光素子
２４  送信変換部
５０Ａ、５０Ｂ  リモコン信号変換機
５１  コンバータ
５２  筐体
５３  赤外線非透過体
５４  粘着体
５５  インターフェイス
５６  基板
６０  デジタルチューナ
６１  システムＬＳＩ
６２  ＲＯＭ
６３  ＲＡＭ
６４  チューナ
６５  チューナ端子
６６  映像音声出力端子
【図１】
2008148081.tif 000003
【図２】
2008148081.tif 000004
【図３】
2008148081.tif 000005